(57)【要約】【課題】特に、背上げ機能付きの介護用ベッドに使用されるマットレスにおいて、簡易な構造で、背上げを行う際の、マットレスの背中部分の底面と、ベッドの背ボトムとの間に滑りを生じさせ、被介護者等の苦痛を軽減させ、快適なものとするとともに、高い安全性をも得られるマットレスを提供すること。【解決手段】カバー部材１６に覆われるとともに、ベッドに載置させて使用するマットレス１０であって、カバー部材１６の底面側において、マットレス１０の使用者の背中部に対応する範囲内１２の所定位置に、滑り止め付き帯状のシート部材２０が、マットレス１０の側面視空隙が生じる状態に余長をもって取り付けられ、且つ、マットレス１０の使用者の背中部に対応する範囲外１４の所定位置に、滑り止め部材１８を取り付けた。【選択図】図１
2014226270.tif 000002
【特許請求の範囲】
【請求項１】
カバー部材に覆われるとともに、ベッドに載置させて使用するマットレスであって、前記カバー部材の底面側において、前記マットレスの使用者の背中部に対応する範囲内の所定位置に、滑り止め付き帯状のシート部材が、前記マットレスの側面視空隙が生じる状態に余長をもって取り付けられ、且つ、前記マットレスの使用者の背中部に対応する範囲外の所定位置に、滑り止め部材が取り付けられたことを特徴とするマットレス。
【請求項２】
カバー部材に覆われるとともに、ベッドに載置させて使用するマットレスであって、前記カバー部材の底面側において、前記マットレスの使用者の背中部に対応する範囲内の所定位置に、ループ状に形成させた滑り止め付き帯状のシート部材が、その周面のうちの所定位置で、且つ、前記マットレスの側面視ループ状となる方向にて取り付けられ、且つ、前記マットレスの使用者の背中部に対応する範囲外の所定位置に、滑り止め部材が取り付けられたことを特徴とするマットレス。
【発明の詳細な説明】
【技術分野】
【０００１】
本発明は、被介護者等が長期に渡って床に伏せる場合などに生じる床ずれを予防する背上げ機能付き介護用ベッドに載せるマットレスに関するもので、特に、背上げ時におけるベッドの背ボトムとの滑りが良好で、被介護者等の背中の圧迫感を軽減させることが可能なマットレスに関するものである。
【背景技術】
【０００２】
ベッドに載せるマットレスは、底面が安易に滑ると背上げや、手をついた時、或いは、介護を行っている際に、被介護者や、介護者が転落・転倒する危険があるとされている。そのため、滑り止めの生地等を可能な限りマットレスの広範囲に渡って取り付けられることが多い。
【０００３】
例えば、特許文献１には、カバー部材をマットレスに使用した際に、マットレスの底面となるカバー部材の部分に滑り止め材を配設させたことを特徴とするマットレスが開示されている。また、特許文献２には、マットレス片のカバーの底面に滑り止め材を接着及び印刷したことを特徴とするマットレスが開示されている。
【先行技術文献】
【特許文献】
【０００４】
【特許文献１】特開２００５−４６４０５号公報
【特許文献２】特開２００３−４７５３７号公報
【発明の概要】
【発明が解決しようとする課題】
【０００５】
しかしながら、上記特許文献に開示されているマットレスのように底面に滑り止め措置が施されているものは、背上げ機能付きのベッドに載せ、背上げを行うと、マットレスの背中部分の底面と、ベッドの背ボトムとの間に滑りが生じにくく、被介護者等の背中が圧迫され、非常に苦痛なものとなってしまう。
【０００６】
本発明は、上述の問題を解決するためのもので、特に、背上げ機能付きの介護用ベッドに使用されるマットレスにおいて、簡易な構造で、背上げを行う際の、マットレスの背中部分の底面と、ベッドの背ボトムとの間にマットレスの長手方向の滑りを生じさせ、被介護者等の苦痛を軽減させ、快適なものとするとともに、高い安全性をも得られるマットレスを提供することを目的としている。
【課題を解決するための手段】
【０００７】
上述の課題に対応するため、本発明は、以下の技術的手段を講じている。
即ち、請求項１記載の発明は、カバー部材に覆われるとともに、ベッドに載置させて使用するマットレスであって、前記カバー部材の底面側において、前記マットレスの使用者の背中部に対応する範囲内の所定位置に、滑り止め付き帯状のシート部材が、前記マットレスの側面視空隙が生じる状態に余長をもって取り付けられ、且つ、前記マットレスの使用者の背中部に対応する範囲外の所定位置に、滑り止め部材が取り付けられたことを特徴とするマットレスである。
【０００８】
また、請求項２記載の発明は、カバー部材に覆われるとともに、ベッドに載置させて使用するマットレスであって、前記カバー部材の底面側において、前記マットレスの使用者の背中部に対応する範囲内の所定位置に、ループ状に形成させた滑り止め付き帯状のシート部材が、その周面のうちの所定位置で、且つ、前記マットレスの側面視ループ状となる方向にて取り付けられ、且つ、前記マットレスの使用者の背中部に対応する範囲外の所定位置に、滑り止め部材が取り付けられたことを特徴とするマットレスである。
【発明の効果】
【０００９】
本発明によると、背上げ時に、マットレスを覆うカバー部材の底面側と、ベッドの背ボトムとの間にマットレスの長手方向に対してのみ、シート部材を介してのズレを生じさせるとともに、それ以外の方向へのズレは抑制させることができるため、被介護者等の苦痛を軽減させ、快適なものとすることができると同時に、マットレス全体として高い安全性を確保することも可能となる。
【図面の簡単な説明】
【００１０】
【図１】本発明に係るマットレスの第１の実施形態を示した図で、（ａ）は底面側からの斜視図、（ｂ）は左側面図、（ｃ）は底面図である。
【図２】本発明に係るマットレスの第２の実施形態を示した図で、（ａ）は底面側からの斜視図、（ｂ）は左側面図、（ｃ）は底面図である。
【図３】本発明に係るマットレスの第３の実施形態を示した図で、（ａ）は底面側からの斜視図、（ｂ）は左側面図、（ｃ）は底面図である。
【図４】本発明に係るマットレスの第４の実施形態を示した左側面図である。
【発明を実施するための形態】
【００１１】
本発明に係るマットレスの第１の実施形態について図面を参照しながら説明する。
図１は、本発明に係るマットレスの第１の実施形態を示した図で、（ａ）は底面側からの斜視図、（ｂ）は左側面図、（ｃ）は底面図である。符号については、１０はマットレス、１２は背中部に対応する範囲内、１３は背中部に対応する範囲外、１４は上端部、１６はカバー部材、１８は滑り止め部材、２０はシート部材を示している。
【００１２】
本実施形態におけるマットレス１０は、カバー部材１６に覆われるとともに、背上げ機能付きベッドの上に載置して使用するもので、図１（ａ）に示すように、カバー部材１６の底面側において、マットレス１０の使用者の背中部に対応する範囲内１２の所定位置に取り付けた滑り止め付き帯状のシート部材２０をその構成の１つとしている。
【００１３】
また、シート部材２０は、図１（ａ）、（ｂ）に示すように、マットレス１０の側面視空隙が生じる状態に余長をもって縫合または溶着等により取り付けられており、マットレス１０の使用時に、その余長分を上端部１４側へ折りたたむようにしてベッドに載置することが好ましい。
【００１４】
ベッドの背上げ時には、ベッドの背ボトムが、マットレス１０裏面側のカバー部材１６を足側へ引き下げる作用を起こすが、上記の構成となっているため、シート部材２０が、マットレス１０の長手方向に対してロール、或いはキャタピラ動作を起こすため、マットレス１０と、ベッドの背ボトムとの間にマットレス１０の長手方向へのズレを生じさせることになる。
【００１５】
その結果、背上げ時のベッドの背ボトムによりもたらされる背中の圧迫感が緩和されることになるわけである。なお、マットレス１０のそれ以外の方向へのズレは、シート部材２０に施されている滑り止め材及び背中部に対応する範囲外１３の所定位置に取り付けられている滑り止め部材１８により、抑制されることになる。
【００１６】
また、逆に、背下げ時には、ベッドの背ボトムが、マットレス１０裏面側のカバー部材１６を頭側へ引き上げる作用を起こすが、上記の構成となっているため、被介護者等の苦痛や不快感が緩和されることになる。なお、シート部材２０の取り付ける位置や取り付け方法は、本実施形態に限定されるものではない。
【００１７】
次に、本発明に係るマットレスの第２の実施形態について図面を参照しながら説明する。
図２は、本発明に係るマットレスの第２の実施形態を示した図で、（ａ）は底面側からの斜視図、（ｂ）は左側面図、（ｃ）は底面図である。符号については、図１と同様である。
【００１８】
本実施形態におけるマットレス１０は、カバー部材１６に覆われるとともに、背上げ機能付きベッドの上に載置して使用するもので、図２（ａ）に示すように、カバー部材１６の底面側において、マットレス１０の使用者の背中部に対応する範囲内１２の所定位置に取り付けた滑り止め付き帯状のシート部材２０をその構成の１つとしている。
【００１９】
また、シート部材２０は、図２（ａ）、（ｂ）に示すように、マットレス１０の側面視空隙が生じる状態に余長をもって縫合または溶着等により取り付けられており、マットレス１０の使用時に、その余長分を上端部１４側と、その反対側、両側に向かって折りたたむようにしてベッドに載置することが好ましい。
【００２０】
ベッドの背上げ時には、ベッドの背ボトムが、マットレス１０裏面側のカバー部材１６を足側へ引き下げる作用を起こすが、上記の構成となっているため、シート部材２０が、マットレス１０の長手方向に対してロール、或いはキャタピラ動作を起こすため、マットレス１０と、ベッドの背ボトムとの間にマットレス１０の長手方向へのズレを生じさせることになる。
【００２１】
その結果、背上げ時のベッドの背ボトムによりもたらされる背中の圧迫感が緩和されることになるわけである。なお、マットレス１０のそれ以外の方向へのズレは、シート部材２０に施されている滑り止め材及び背中部に対応する範囲外１３の所定位置に取り付けられている滑り止め部材１８により、抑制されることになる。
【００２２】
また、逆に、背下げ時には、ベッドの背ボトムが、マットレス１０裏面側のカバー部材１６を頭側へ引き上げる作用を起こすが、上記の構成となっているため、被介護者等の苦痛や不快感が緩和されることになる。なお、シート部材２０、滑り止め部材１８の取り付ける位置や取り付け方法は、本実施形態に限定されるものではない。
【００２３】
次に、本発明に係るマットレスの第３の実施形態について図面を参照しながら説明する。
図３は、本発明に係るマットレスの第３の実施形態を示した図で、（ａ）は底面側からの斜視図、（ｂ）は左側面図、（ｃ）は底面図である。符号については、図１と同様である。
【００２４】
本実施形態におけるマットレス１０は、カバー部材１６に覆われるとともに、背上げ機能付きベッドの上に載置して使用するもので、図３（ａ）に示すように、カバー部材１６の底面側において、マットレス１０の使用者の背中部に対応する範囲内１２の所定位置に取り付けた滑り止め付き帯状のシート部材２０をその構成の１つとしている。
【００２５】
また、シート部材２０は、図３（ａ）、（ｂ）に示すように、マットレス１０の側面視空隙が生じる状態に余長をもって縫合または溶着等により取り付けられている。
【００２６】
ベッドの背上げ時には、ベッドの背ボトムが、マットレス１０裏面側のカバー部材１６を足側へ引き下げる作用を起こすが、上記の構成となっているため、シート部材２０が、マットレス１０の長手方向に対してロール、或いはキャタピラ動作を起こすため、マットレス１０と、ベッドの背ボトムとの間にマットレス１０の長手方向へのズレを生じさせることになる。
【００２７】
その結果、背上げ時のベッドの背ボトムによりもたらされる背中の圧迫感が緩和されることになるわけである。なお、マットレス１０のそれ以外の方向へのズレは、シート部材２０に施されている滑り止め材及び背中部に対応する範囲外１３の所定位置に取り付けられている滑り止め部材１８により、抑制されることになる。
【００２８】
また、逆に、背下げ時には、ベッドの背ボトムが、マットレス１０裏面側のカバー部材１６を頭側へ引き上げる作用を起こすが、上記の構成となっているため、被介護者等の苦痛や不快感が緩和されることになる。なお、シート部材２０、滑り止め部材１８の取り付ける位置や取り付け方法は、本実施形態に限定されるものではない。
【００２９】
続いて、本発明に係るマットレスの第４の実施形態について図面を参照しながら説明する。
図４は、本発明に係るマットレスの第４の実施形態を示した左側面図である。なお、符号については、図１と同様である。
【００３０】
本実施形態におけるマットレス１０は、カバー部材１６に覆われるとともに、背上げ機能付きベッドの上に載置して使用するもので、図４に示すように、カバー部材１６の底面側において、マットレス１０の使用者の背中部に対応する範囲内１２の所定位置に、ループ状に形成させた滑り止め付きシート部材２０を取り付けている。
【００３１】
詳しくは、ループ状に形成させたシート部材２０の周面のうちの所定位置で、且つ、マットレスの側面視でループ状となる方向にてシート部材２０をカバー部材１６の底面側に取り付けている。ベッドの背上げ時には、ベッドの背ボトムが、マットレス１０裏面側のカバー部材１６を足側へ引き下げる作用を起こすが、上記の構成となっているため、マットレス１０の長手方向に対するベッドの背ボトムとの間のズレが生じ、背上げ時のベッドの背ボトムによりもたらされる背中の圧迫感が緩和されるわけである。なお、マットレス１０のそれ以外の方向へのズレは、シート部材２０に施されている滑り止め材及び背中部に対応する範囲外１３の所定位置に取り付けられている滑り止め部材１８により、抑制されることになる。
【００３２】
また、逆に、背下げ時には、ベッドの背ボトムが、マットレス１０裏面側のカバー部材１６を頭側へ引き上げる作用を起こすが、上記の構成となっているため、被介護者等の苦痛や不快感が緩和されることになる。なお、本実施形態では、ループ状に形成させたシート部材２０は、マットレス１０の長手方向と直交する方向に沿って一本の直線上でカバー部材１６に取り付けられているが、２本の直線上で取り付けても良いし、これら取り付け方は、本発明を限定するものではない。
【産業上の利用可能性】
【００３３】
本発明は、特に、背上げ機能付きの介護用ベッドの背上げ時に、マットレスを覆うカバー部材の底面側に取り付けたシート部材が、ベッド側の背ボトムとの間の滑りを良好にするため、背上げ時における被介護者等の苦痛を軽減させ、快適なものとするとともに、高い安全性をも得る苦痛を軽減させる必要がある現場で好適に用いられる。
【符号の説明】
【００３４】
１０  マットレス
１２  背中部に対応する範囲内
１３  背中部に対応する範囲外
１４  上端部
１６  カバー部材
１８  滑り止め部材
２０  シート部材
【図１】
2014226270.tif 000003
【図２】
2014226270.tif 000004
【図３】
2014226270.tif 000005
【図４】
2014226270.tif 000006